(57)【要約】【課題】複数のパチンコ球が同時に流入した際の衝撃、球圧等により作動不良を起こすおそれのない可変入賞装置を提供する。【解決手段】入球口２が開設された取付基板１の前面に一対の開閉羽根５ａ，５ｂを軸支し、該取付基板の裏面に球誘導樋７を設け、該取付基板における該入球口の両側位置に長孔８ａ，８ｂを開設し、該長孔に前記開閉羽根に形成された係合軸９ａ，９ｂを遊嵌して該係合軸の先端を前記球誘導樋の両外側にて該取付基板の裏面に突出させ、ソレノイド１５を取付基板の裏側に固設し、反復回転動自在なるように伝動部材２３を軸支し、該伝動部材の側板部２５ａ，２５ｂに係合軸９ａ，９ｂの先端が遊嵌する二股状部２８ａ，２８ｂを形成し、球誘導樋７を通過するパチンコ球がコイルバネ１９に接触するのを防ぐ遮板３１を伝動部材２３の両側板部２５ａ，２５ｂ間に亘って横断状に形成する。【選択図】図４
2008043575.tif 000002
【特許請求の範囲】
【請求項１】
中央に入球口が開設された取付基板の前面にパチンコ球を該入球口に導く一対の開閉羽根を平行起立及び逆八字状傾動自在に軸支し、該取付基板の裏面には入球口より流入したパチンコ球を後方に導く緩後傾状の球誘導樋を設け、該取付基板における該入球口の両側位置に該入球口とは別途に一対の長孔を該開閉羽根の支軸を中心とする円弧状に湾曲した形状に開設し、該長孔に前記開閉羽根に形成された係合軸を遊嵌して該係合軸の先端を前記球誘導樋の両外側にて該取付基板の裏面に突出させ、円錐台形に付形されたコイルバネがソレノイドの前面とプランジャーの先端鍔部間に圧縮状態で設けられ、該ソレノイドを作動させることで該プランジャーが球誘導樋の上部にて水平方向に進退動するように該ソレノイドを前記取付基板の裏側に設けられた機枠体に固設し、さらに該機枠体には側面略Ｌ字形の一対の側板部が球誘導樋の両外側に位置して鉛直面内にて反復回転動自在なるように伝動部材を該側板部の中間屈折部付近にて軸支し、該側板部の前端縁に前記係合軸の先端が遊嵌する二股状部を形成し、該伝動部材の上部両側板部間には前記プランジャーの先端鍔部前面が当接する横断軸と両側板部の内面から突出状に形成されていて前記プランジャーの先端鍔部裏面に当接する片持軸を形成し、かつまた前記球誘導樋を通過するパチンコ球が前記コイルバネに接触するのを防ぐ遮板を該伝動部材の前記中間屈折部付近に両側板部間に亘って横断状に形成したことを特徴とする可変入賞装置。
【発明の詳細な説明】
【技術分野】
【０００１】
本発明は、パチンコ遊技機の遊技盤に設けられ、ソレノイドを作動させることにより一対の開閉羽根が平行起立状態、または逆八字状に傾動し、遊技盤上を流下するパチンコ球を入賞し難くしたり入賞し易くする可変入賞装置に関するものである。
【背景技術】
【０００２】
ソレノイドを励磁及び消磁させることによって一対の開閉羽根が平行起立状態、または逆八字状に傾動するようにした所謂チューリップ型の可変入賞装置は、下記特許文献１〜３等に示されている。
【特許文献１】実公平７−３００５０号公報
【特許文献２】実開平６−２１６７５号公報
【特許文献３】特開平７−１１６３０９号公報
【発明の開示】
【発明が解決しようとする課題】
【０００３】
ところで、この種の可変入賞装置においては、逆八字状に傾動した一対の開閉羽根の間に複数のパチンコ球が同時に流入して来ることがあり、そうすると球どうしが衝突することで入球口に予想外の圧力が掛かり、該入球口の一側に位置している開閉羽根の係合軸に当たり該係合軸を変形させ作動不良を起こすおそれがあった。
また、入球口内の球誘導樋においても球どうしが重なり合うことがあるために、ソレノイドのプランジャーに設けられている復帰用コイルバネに当たって該コイルバネを横ズレさせ、該プランジャーのスムースな動きを阻害するおそれがあった。
【課題を解決するための手段】
【０００４】
本発明は可変入賞装置の上記課題を解決しようとするもので、中央に入球口が開設された取付基板の前面にパチンコ球を該入球口に導く一対の開閉羽根を平行起立及び逆八字状傾動自在に軸支し、該取付基板の裏面には入球口より流入したパチンコ球を後方に導く緩後傾状の球誘導樋を設け、該取付基板における該入球口の両側位置に該入球口とは別途に一対の長孔を該開閉羽根の支軸を中心とする円弧状に湾曲した形状に開設し、該長孔に前記開閉羽根に形成された係合軸を遊嵌して該係合軸の先端を前記球誘導樋の両外側にて該取付基板の裏面に突出させ、円錐台形に付形されたコイルバネがソレノイドの前面とプランジャーの先端鍔部間に圧縮状態で設けられ、該ソレノイドを作動させることで該プランジャーが球誘導樋の上部にて水平方向に進退動するように該ソレノイドを前記取付基板の裏側に設けられた機枠体に固設し、さらに該機枠体には側面略Ｌ字形の一対の側板部が球誘導樋の両外側に位置して鉛直面内にて反復回転動自在なるように伝動部材を該側板部の中間屈折部付近にて軸支し、該側板部の前端縁に前記係合軸の先端が遊嵌する二股状部を形成し、該伝動部材の上部両側板部間には前記プランジャーの先端鍔部前面が当接する横断軸と両側板部の内面から突出状に形成されていて前記プランジャーの先端鍔部裏面に当接する片持軸を形成し、かつまた前記球誘導樋を通過するパチンコ球が前記コイルバネに接触するのを防ぐ遮板を該伝動部材の前記中間屈折部付近に両側板部間に亘って横断状に形成したことを特徴とする。
【発明の効果】
【０００５】
この可変入賞装置では、複数のパチンコ球が同時に流入した際の衝撃、球圧等により開閉羽根の係合軸等の重要部分を損傷させるおそれがないと共に、パチンコ球がソレノイドの復帰用コイルバネに直接当たることがないので、これらを原因とする作動不良を起こすおそれが解消され、常にスムースに作動させることができる。
【発明を実施するための最良の形態】
【０００６】
次に本発明の実施形態を図面に従い説明する。図１はこの可変入賞装置の正面図、図２は平面図、図３は後方からの斜視図、図４は縦断面図である。また、図５、図６はその分解斜視図である。図中、１は中央に入球口２が開設された取付基板、３は該取付基板の前面にビス４により固設される球受部材、５ａ，５ｂは取付基板１の前面で該球受部材内に設けられた支軸６ａ，６ｂにより平行起立及び逆八字状傾動自在に軸支された一対の開閉羽根で、該取付基板１の裏面には入球口２より流入したパチンコ球を後方に導く緩後傾状の球誘導樋７が設けられる。取付基板１における入球口２の両側位置には該入球口とは別途に一対の長孔８ａ，８ｂが前記支軸６ａ，６ｂを中心とする円弧状に湾曲した形状に開設される。また、開閉羽根５ａ，５ｂの裏面に一体に係合軸９ａ，９ｂが形成され、該係合軸の先端を長孔８ａ，８ｂに遊嵌することにより該係合軸の先端を前記球誘導樋７の両外側にて該取付基板１の裏面に突出させている。１０は取付基板１の上部に形成された普通入賞口である。１ａ，１ｂは、図４に示した遊技盤３２の前面に取付基板１を取り付けるため該取付基板に開設されたビス貫通用の透孔、１ｃ，１ｄは支軸６ａ，６ｂの後端部が貫挿され止着されるように取付基板１の前面に形成した軸受部である。
【０００７】
なお、前記球誘導樋７は取付基板１の裏面にビス１１により固着される機枠体１２の下部中心に一体に形成された横断面Ｕ字形のもので、該球誘導樋の両側に適宜隙間を隔てて壁板１３ａ，１３ｂが一体に垂下状に形成されている。また、該機枠体１２の上部には前記普通入賞口１０の後面と連なる球導路１４が一体に形成されている。
【０００８】
機枠体１２の後側にはソレノイド１５を横向きに収納する空間が形成された第２の機枠体１６がビス１７により固着される。１８は該ソレノイド１５のプランジャー、１９は該プランジャーの外周に装着される復帰用コイルバネで、該コイルバネは、収縮時における線材の重なりを防いで収縮率を最大限にするために円錐台形に付形され、ソレノイド１５の前面とプランジャー１８の先端鍔部２０間に圧縮状態で設けられる。このため該ソレノイド１５を作動させることで該プランジャー１８は球誘導樋７の上部にて水平方向に進退動する。詳しくは、直流電流を印加してソレノイド１５を励磁したときはプランジャー１８はコイルバネ１９を収縮させて該ソレノイド１５中に吸引され、ソレノイド１５を消磁させたときはプランジャー１８はコイルバネ１９の弾性により前方に突出する。なお、２１はソレノイド１５の抜脱を防ぐため機枠体１６に形成された爪片である。また、機枠体１６の上部には前記球導路１４の後部と連なる球導路２２が直交折曲状に形成され、普通入賞口１０に入賞したパチンコ球は球導路１４を経て該球導路２２に流下し排出する。なお、普通入賞口１０内底面と球導路１４，球導路２２内底面にはパチンコ球の流下方向に沿うように幅１．５〜３ｍｍ程度の突条が形成され、パチンコ球は該突条の上を転がるようにしている。
【０００９】
２３はソレノイド１５のプランジャー１８の動きを開閉羽根５ａ，５ｂに伝達するための伝動部材で、該伝動部材は横断軸２４の両端に側面略Ｌ字形の一対の側板部２５ａ，２５ｂが一体に形成され、該側板部の中間屈折部付近の両外面に支持軸２６ａ，２６ｂが一体に突設され、該支持軸を前記機枠体１２の後縁部に形成された切欠孔２７に遊嵌し機枠体１６を固着し該切欠孔を閉じることにより該支持軸を回転自在に支持し、該側板部２４ａ，２４ｂが球誘導樋７の両外側に位置して鉛直面内にて反復回転動自在なるようにする。また、該側板部２４ａ，２４ｂの前端縁に二股状部２８ａ，２８ｂを形成し、該二股状部に前記係合軸９ａ，９ｂの先端を遊嵌させる。
【００１０】
また、伝動部材２３の上部両側板部２５ａ，２５ｂ間にプランジャー１８の先端鍔部２０の前面が当接する横断軸２４を形成すると共に、該両側板部２５ａ，２５ｂの内面から突出状に形成されていて該先端鍔部２０の裏面に当接する片持軸３０ａ，３０ｂを形成する。また、３１は前記支持軸２６ａ，２６ｂが形成された中間屈折部付近に両側板部間に亘って横断状に形成された遮板で、該遮板３１は前記球誘導樋７を通過するパチンコ球が前記コイルバネ１９に接触するのを防ぐために形成される。
【００１１】
このように構成した可変入賞装置では、ソレノイド１５が消磁しているとき、コイルバネ１９の弾性によりプランジャー１８は前方に突出状態となるので、図４に示したように、該プランジャー１８の先端鍔部２０が横断軸２４を押圧し伝動部材２３は支持軸２６ａ，２６ｂを支点として前傾し二股状部２８ａ，２８ｂが係合軸９ａ，９ｂを押し下げることから開閉羽根５ａ，５ｂを平行起立状態とし、パチンコ球が該開閉羽根５ａ，５ｂ間に入賞し難い状態としている。また、ソレノイド１５が励磁されると、コイルバネ１９の弾性に抗してプランジャー１８は後方に引っ張られるので、図７に示したように、該プランジャー１８の先端鍔部２０が片持軸３０ａ，３０ｂを引っ張り、伝動部材２３を支持軸２６ａ，２６ｂを支点として後傾させ二股状部２８ａ，２８ｂが係合軸９ａ，９ｂを押し上げることから開閉羽根５ａ，５ｂを図１に２点鎖線で示したように逆八字状に傾動させ、該開閉羽根５ａ，５ｂの間にパチンコ球が入賞し易い状態となる。
【００１２】
そして、該開閉羽根５ａ，５ｂ間に流下したパチンコ球は入球口２より球誘導樋７に流れ込み、該球誘導樋７の後端から排出される。また、該開閉羽根５ａ，５ｂ間には複数のパチンコ球が同時に流入して来ると、その球どうしの衝突の反力で入球口２の内縁に衝撃力が掛かるが、この可変入賞装置では該入球口の両側位置に該入球口とは別途に一対の長孔８ａ，８ｂを形成し、該長孔に係合軸９ａ，９ｂを遊嵌しているので、パチンコ球が該係合軸９ａ，９ｂに接触するおそれがなく開閉羽根５ａ，５ｂの開閉作動がこれによって阻害されるおそれはない。
【００１３】
また、この可変入賞装置では伝動部材２３の中間屈折部付近に遮板３１が両側板部間に亘って横断状に形成されているので、同時に入賞したパチンコ球がたとえ球誘導樋７上で衝突し重なるようであっても該パチンコ球は該遮板３１によって阻まれコイルバネ１９に接触するおそれがない。このためコイルバネ１９はプランジャー１８の外周に遊に外嵌されていてもズレを起こすことなく、プランジャー１８を常に確実に復帰させることができる。このため、ソレノイド１５が消磁すると開閉羽根５ａ，５ｂを確実に平行起立状態に復帰させることができる。
【００１４】
また、伝動部材２３の上部両側板部間にプランジャー１８の先端鍔部２０前面が当接する横断軸２４と両側板部の内面から突出状に形成されていて該先端鍔部２０の裏面に当接する片持軸３０ａ，３０ｂが形成され、該先端鍔部２０は該横断軸２４と片持軸３０ａ，３０ｂ間に遊嵌状態となるので、該プランジャー１８の進退動運動が少ない摩擦抵抗で高い動力伝達率をもって伝動部材２３の回転運動にスムースに変換される。
【図面の簡単な説明】
【００１５】
【図１】本発明に係る可変入賞装置の正面図。
【図２】本発明に係る可変入賞装置の平面図。
【図３】本発明に係る可変入賞装置の後方からの斜視図。
【図４】本発明に係る可変入賞装置の縦断面図。
【図５】本発明に係る可変入賞装置の分解斜視図。
【図６】本発明に係る可変入賞装置の分解斜視図。
【図７】図４の作動状態図。
【符号の説明】
【００１６】
１                取付基板
２                入球口
５ａ，５ｂ        開閉羽根
６ａ，６ｂ        支軸
７                球誘導樋
８ａ，８ｂ        長孔
９ａ，９ｂ        係合軸
１２              機枠体
１５              ソレノイド
１６              機枠体
１８              プランジャー
１９              コイルバネ
２０              先端鍔部
２３              伝動部材
２４              横断軸
２５ａ，２５ｂ    側板部
２６ａ，２６ｂ    支持軸
２８ａ，２８ｂ    二股状部
３０ａ，３０ｂ    片持軸
３１              遮板
【図１】
2008043575.tif 000003
【図２】
2008043575.tif 000004
【図３】
2008043575.tif 000005
【図４】
2008043575.tif 000006
【図５】
2008043575.tif 000007
【図６】
2008043575.tif 000008
【図７】
2008043575.tif 000009